(57)【要約】【課題】  シール材を傷めることなく長期間に亘って確実なシールが行えるフロアと壁パネルとの止水構造を提供すること。【解決手段】  フロア１２の周縁部に設けた立上げ部２１と壁パネル１３ａ等の下端部２２と間に止水構造２０を設けた。この止水構造２０は、立上げ部２１の上面に設けられた係合突部２４と、下端部２２の下端面に設けられた係合凹部２６とシール用凹部２７とからなる凹部２５と、シール材２３とで構成した。そして、シール材２３をシール用凹部２７内に設置し、係合突部２４と係合凹部２６とを係合させることにより止水構造２０を組み立てた。また、シール材２３を折り畳み可能な板状の弾性材料で構成した。さらに、シール用凹部２７は凹部２５の室内側部分に設けた。【選択図】  図２
2005146562.tif 000002
【特許請求の範囲】
【請求項１】
フロアの縁部側上面に設けられた係合部と壁パネルの下端面に設けられた被係合部とを係合させるとともに、前記フロアの縁部側上面と前記壁パネルの下端面との間をシール材によってシールしたフロアと壁パネルとの止水構造であって、
前記フロアの縁部側上面または前記壁パネルの下端面に前記シール材を設置するためのシール用凹部を設け、前記シール材を、前記シール用凹部内に設置した際に前記シール用凹部の開口側に位置する前記フロアの縁部側上面または前記壁パネルの下端面に圧接されて、前記フロアと壁パネルとの間をシールする弾性材料で構成したことを特徴とするフロアと壁パネルとの止水構造。
【請求項２】
前記係合部を前記フロアの縁部側上面から上方に向かって突出した係合突部で構成し、前記被係合部を前記壁パネルの下端面に形成され前記係合突部と係合可能な係合凹部で構成した請求項１に記載のフロアと壁パネルとの止水構造。
【請求項３】
前記シール用凹部と、前記係合凹部とを一つの連続した凹部で構成した請求項２に記載のフロアと壁パネルとの止水構造。
【請求項４】
前記シール用凹部を前記壁パネルの下端面における前記係合凹部の室内側部分に設けた請求項２または３に記載のフロアと壁パネルとの止水構造。
【請求項５】
前記シール材を、平面部と、前記平面部の縁部から上方に向かって湾曲して延びる曲部とからなる断面形状が略Ｃ字状の材料で構成した請求項１ないし４のうちのいずれか一つに記載のフロアと壁パネルとの止水構造。
【発明の詳細な説明】
【技術分野】
【０００１】
本発明は、フロアと壁パネルとの間をシール材によってシールするためのフロアと壁パネルとの止水構造に関する。
【背景技術】
【０００２】
従来から、例えば、ユニット式の浴室は、浴槽パネルと洗い場パネルからなるフロアの周縁部に壁パネルを起立状態で取り付けるとともに、各壁パネルの上端部に天井パネルを取り付けて構成されている。そして、各パネル間、特に、フロアと壁パネルとの間には、止水構造が設けられている（例えば、特許文献１参照。）。
【０００３】
この止水構造は、フロアの周縁部における上端部と壁パネルの下端部との間に、上縁部と中間部とが硬質の塩化ビニルで構成され、下縁部が軟質の塩化ビニルで構成されたシール材を設置して構成されている。中間部は、フロアの周縁部上端部と壁パネルの下端部との間に位置し、上縁部は、壁パネルの下端面における室内側縁部に沿って設けられた切り欠き部内に位置している。そして、下縁部は、中間部の下端室内側縁部から下方に延びて、フロアの周縁部の内面に接触している。
【特許文献１】特開平１１−７１８２７号公報
【発明の開示】
【０００４】
しかしながら、前述した従来の止水構造では、シール材に壁パネルの重量がそのまま掛かってしまうため、その重みによってシール材が傷み易いという問題がある。また、防水パネルや壁パネルに反りが生じると、シール材の近傍に隙間が生じやすくなり止水機能が悪くなるという問題もある。
本発明は、上記問題に対処するためになされたもので、その目的は、シール材を傷めることなく長期間に亘って確実なシールが行えるフロアと壁パネルとの止水構造を提供することである。
【０００５】
上記の目的を達成するため、本発明にかかるフロアと壁パネルとの止水構造の構成上の特徴は、フロアの縁部側上面に設けられた係合部と壁パネルの下端面に設けられた被係合部とを係合させるとともに、フロアの縁部側上面と壁パネルの下端面との間をシール材によってシールしたフロアと壁パネルとの止水構造であって、フロアの縁部側上面または壁パネルの下端面にシール材を設置するためのシール用凹部を設け、シール材を、シール用凹部内に設置した際にシール用凹部の開口側に位置するフロアの縁部側上面または壁パネルの下端面に圧接されて、フロアと壁パネルとの間をシールする弾性材料で構成したことにある。
【０００６】
前述のように構成した本発明にかかるフロアと壁パネルとの止水構造では、フロアの縁部側上面または壁パネルの下端面にシール用凹部を設け、このシール用凹部内にシール材を設置するようにしている。したがって、シール材に壁パネルの重量全体が掛かることがなくなり、シール材は、シール用凹部内に設置された状態で、フロア側の接触面と壁パネル側の接触面とに圧接されて、その境界部をシールする。すなわち、壁パネルは、フロアによって支持され、シール材は、シール用凹部内で、シール材が備える弾性を利用してシール用凹部の各面と、シール用凹部の開口側に位置するフロアの縁部側上面または壁パネルの下端面に圧接する。
【０００７】
このため、シール材が荷重によって損傷することがなくなり、長期間に亘って確実なシールが行える。例えば、シール材を中空管状の弾性材料で構成する場合には、その断面形状を、円形、楕円形、四角形等種々の形状に形成することができる。また、シール材の断面形状をシール用凹部の形状に合わせて、一方を平面状にし他方を半円状に形成したり、瓢箪形に形成したりすることもできる。シール材を板状の弾性材料で構成する場合には、シール材を丸めてシール用凹部内に設置したり、シール材を例えば二つ折りに畳んでシール用凹部内に設置したりすることができる。
【０００８】
また、本発明にかかるフロアと壁パネルとの止水構造の他の構成上の特徴は、係合部をフロアの縁部側上面から上方に向かって突出した係合突部で構成し、被係合部を壁パネルの下端面に形成され係合突部と係合可能な係合凹部で構成したことにある。これによると、係合凹部内に係合突部を合わせてフロアの上に壁パネルを取り付けるだけで止水構造を形成できるため、組み付けのための作業が容易になる。この場合、シール材は、予め、シール用凹部内に設置しておいたり、シール用凹部に対応するフロアの縁部側上面または壁パネルの下端面の部分に設置しておいたりする。
【０００９】
また、本発明にかかるフロアと壁パネルとの止水構造のさらに他の構成上の特徴は、シール用凹部と、係合凹部とを一つの連続した凹部で構成したことにある。これによると、製造が容易になるとともに、シール用凹部の内周面とフロアの上面に加えて、係合突部の側面もシール材に圧接するため、シール材の全体にバランスよく圧力が加わるようになる。これによって、より確実なシールが可能になる。シール用凹部を設ける位置としては、係合凹部の横でもよいし、係合凹部の上部でもよい。シール用凹部を係合凹部の横に設ける場合には、係合凹部とシール用凹部とが二段の深さになった凹部が形成され、シール用凹部を係合凹部の上部に設ける場合には、係合凹部とシール用凹部とが縦長に連続する凹部が形成される。
【００１０】
また、本発明にかかるフロアと壁パネルとの止水構造のさらに他の構成上の特徴は、シール用凹部を壁パネルの下端面における係合凹部の室内側部分に設けたことにある。これによると、シール材が、フロアや壁パネルの室内側面に近い部分に設置されるため、止水構造の奥側まで水が浸入することがなくなる。このため、より好ましい防水機能を発揮するようになる。
【００１１】
本発明にかかるフロアと壁パネルとの止水構造のさらに他の構成上の特徴は、シール材を、平面部と、平面部の縁部から上方に向かって湾曲して延びる曲部とからなる断面形状が略Ｃ字状の材料で構成したことにある。これによると、シール用凹部の大きさの大小に拘わらず確実なシールを行える。例えば、シール用凹部が大きい場合には、シール材は、略Ｃ字状の形状を維持したまま、その弾性によってフロアと壁パネルとの間をシールし、シール用凹部が小さい場合には、シール材は徐々に押し潰されるようにして二つ折りに近い形状に変化しながらフロアと壁パネルとの間をシールする。したがって、シール用凹部の大きさは、シール材が、略Ｃ字状になるときと、二つ折り状態になるときとの間の大きさに対応するように設定することができ製造の自由度が増す。
【発明を実施するための最良の形態】
【００１２】
以下、本発明にかかるフロアと壁パネルとの止水構造の各実施形態を図面を用いて詳しく説明する。
【００１３】
（第１実施形態）
図１は、本発明の第１実施形態にかかるフロアと壁パネルとの止水構造２０を備えた浴室ユニット１０を示している。この浴室ユニット１０は、浴槽１１を備えており、浴槽１１は、浴槽フロア（図示せず）の上面に設置されている。そして、浴槽フロアの一方の縁部（浴室ユニット１０の中央側の縁部）には、浴槽フロアとでフロア１２を構成する洗い場フロアが接続され、浴槽フロアと洗い場フロアとからなるフロア１２の周縁部に壁パネル１３ａ，１３ｂ，１３ｃ（図示の手前側の壁パネルは図示せず）が起立状態で設置されている。
【００１４】
そして、壁パネル１３ａ等の各壁パネルの上端には、天井パネル（図示せず）が掛け渡されて固定されている。浴室ユニット１０を構成する浴槽１１、フロア１２、壁パネル１３ａ等および天井パネルの各本体部分は、それぞれ樹脂の成形体で構成されている。また、壁パネル１３ａには、浴室ユニット１０と脱衣室（図示せず）との間を開閉するドア１４が設けられている。
【００１５】
フロア１２の上面における壁パネル１３ｂに沿った部分にカウンター１５が設けられ、壁パネル１３ｂにおけるカウンター１５の上方に棚１６や鏡１７が設けられている。また、カウンター１５の上面における浴槽１１側部分には、浴槽１１内に湯や水を取り出したり、カウンター１５で使用する湯や水を取り出したりするための水栓１８が設けられ、カウンター１５の前側面における壁パネル１３ａ側部分には、シャワー１９が設けられ、その先端部が壁パネル１３ａに設けられた支持部１９ａに着脱可能に取り付けられている。また、壁パネル１３ａには、手摺１９ｂも設けられている。
【００１６】
フロア１２は、床面部１２ａと、床面部１２ａの周縁部から立ち上がって設けられ壁パネル１３ａ等を取り付けるための立上げ部２１とで構成されている。そして、止水構造２０は、図２に示したように、立上げ部２１、壁パネル１３ａ等の下端部２２およびシール材２３で構成されている。立上げ部２１は、床面部１２ａの縁部から立ち上がった垂直部２１ａと、垂直部２１ａの上端から浴室ユニット１０の外部（以下、室外と記す。）に向かって水平方向に延びる水平部２１ｂとで構成されている。そして、水平部２１ｂの上面における中央部よりもやや室外側に位置する部分には、水平部２１ｂの長手方向に沿って延びる係合突部２４が上方に突出して設けられている。
【００１７】
下端部２２の下面における中央部には、下端部２２の長手方向に沿って延びる凹部２５が設けられている。この凹部２５の中央部よりも室外側に位置する部分は、係合突部２４と係合可能な係合凹部２６に形成され、凹部２５の中央部よりも浴室ユニット１０の内部（以下、室内と記す。）側に位置する部分は、シール材２３を設置するためのシール用凹部２７に形成されている。シール用凹部２７の高さ（深さ）は、係合凹部２６の略半分に設定され、凹部２５は、天井部の高さが異なる連続した二段状の凹部になっている。
【００１８】
シール材２３は、弾性を有するゴムで構成され、二つ折りにされた状態でシール用凹部２７内に設置されている。すなわち、シール材２３は、板状体の中心部を折り曲げて上下に重なった形状で、シール用凹部２７の側面と天井面、水平部２１ｂの上面および係合凹部２６に係合した係合突部２４の室内側の側面に圧接している。また、シール材２３は、止水構造２０に組み込まれる前は、図３（ａ）に示したように、断面形状が略Ｃ字形を左右に反転した形状の長い材料で構成されている。シール材２３は、下部が水平部２１ｂの上面に接することのできる平面部２３ａで構成され、上部が湾曲した曲部２３ｂで構成されている。そして、止水構造２０に組み込まれることにより、図３（ｂ）に示したように、上下に二つ折りにされた状態になる。
【００１９】
このように構成された止水構造２０の組み付けは、つぎのようにして行われる。まず、製造工場において、射出成形、押出し加工、その他の各種加工を行うことによって製造された浴室ユニット１０を構成する各部材を施工現場に運ぶ。そして、施工現場において、浴槽フロアと洗い場フロアとからなるフロア１２を脱衣室に隣接する所定の場所に設置する。つぎに、浴槽１１をフロア１２の浴槽フロア上に設置して、壁パネル１３ａ等の各壁パネルを、フロア１２の立上げ部２１に順次取り付ける。
【００２０】
この場合、まず、図４に示すように、水平部２１ｂの上面における係合突部２４の室内側にシール材２３を設置する。このとき、シール材２３は、平面部２３ａを水平部２１ｂの上面に接触させ、曲部２３ｂの外側面下部側を係合突部２４に接触させた状態になる。つぎに、係合凹部２６を係合突部２４に合わせ、シール用凹部２７をシール材２３に合わせた状態で、壁パネル１３ａ等の下端部２２を、上方から水平部２１ｂの上面に降ろして行く。
【００２１】
そして、図５に示したように、下端部２２が水平部２１ｂに近づくと、係合凹部２６と係合突部２４とが互いに位置決めされて係合しかかった状態になり、シール材２３の上部がシール用凹部２７内に入りその上端面がシール用凹部２７の天井面に接触した状態になる。さらに、下端部２２が水平部２１ｂに近づくと、図２に示した状態になる。この場合、シール材２３は、水平部２１ｂとシール用凹部２７の天井面とによって上下に圧縮された状態になるとともに、シール用凹部２７の側面と係合突部２４の側面とで左右（浴室ユニット１０の内部側と外部側との方向）に圧縮された状態になる。
【００２２】
したがって、シール材２３には、上下方向に延びて、図４の状態に復元しようとする復元力が生じるとともに、左右方向にも延びようとする復元力が生じる。この復元力によって、シール材２３は、周囲の各面に圧接し、立上げ部２１と下端部２２との間をシールする。この場合、壁パネル１３ａ等は、水平部２１ｂによって支持され、係合突部２４と係合凹部２６との係合によって、左右方向への位置ずれを防止される。したがって、シール材２３は、周囲の各面と圧接することによって、立上げ部２１と下端部２２との間をシールするためだけに用いられる。また、横に並んで配置される各壁パネル１３ａ等同士の側部の連結は、図示せぬ連結部材を用いて行われる。
【００２３】
このように、本実施形態にかかる止水構造２０では、壁パネル１３ａ等の下端部２２にシール用凹部２７を設け、このシール用凹部２７内にシール材２３を設置するようにしている。また、シール材２３は、弾性を有する断面形状が略Ｃ字状の部材で構成されている。したがって、シール材２３に壁パネル１３ａ等の重量全体が掛かることがなくなり、荷重の掛かり過ぎによるシール材２３の損傷がなくなる。この結果、長期間に亘って確実なシールが行える。また、シール材２３は、圧縮された状態でシール用凹部２７内に設置されているため、元の状態に復元しようとして周囲の各面に圧接する。このため、立上げ部２１と下端部２２との間が確実にシールされる。
【００２４】
また、止水構造２０の組み付けが、水平部２１ｂの上面にシール材２３を設置し、係合突部２４に係合凹部２６を合わせて立上げ部２１の上に壁パネル１３ａ等を取り付けるだけで済むため、作業が容易になる。さらに、係合凹部２６とシール用凹部２７とを一つの連続した凹部２５で構成しているため、壁パネル１３ａ等の製造が容易になる。また、シール用凹部２７を下端部２２における凹部２５の室内側部分に設けているため、フロア１２や壁パネル１３ａ等の室内側面に近い部分で止水することができる。これによって、水が止水構造２０の奥側まで浸入することがなくなり、より好ましい状態での防水が可能になる。
【００２５】
（第２実施形態）
図６は、本発明の第２実施形態にかかる止水構造で用いられるシール材３３の断面を示している。このシール材３３の止水構造に組み付けられる前の断面形状は、図６（ａ）に示したように、水平状の平面部３３ａと、平面部３３ａの両端部に連結された半円状の曲部３３ｂとからなる中空管状になっている。そして、止水構造に組み付けられると、シール材３３は、図６（ｂ）に示したように、上下、左右に圧縮して楕円状になる。このシール材３３が組み付けられる止水構造のシール材３３以外の部分の構成は、前述した止水構造２０と同一である。
【００２６】
このように構成したため、シール材３３の弾性による復元力がより大きくなり確実なシールが行える。また、シール材３３の外周面全体が、周囲の各面に均一な面圧状態で接触するため、各部分のシール性にむらがなくなり良好なシール性を確保できる。このシール材３３を用いた止水構造のそれ以外の作用効果については、前述した止水構造２０と同様である。
【００２７】
（第３実施形態）
図７は、本発明の第３実施形態にかかる止水構造で用いられるシール材４３の断面を示している。このシール材４３の止水構造に組み付けられる前の断面形状は、図７（ａ）に示したように、水平状の平面部４３ａと、平面部４３ａの両端部に連結された３個の半円状の曲部を連続させて構成した略波状の曲部４３ｂとからなる中空管状になっている。そして、このシール材４３は、止水構造に組み付けられると、図７（ｂ）に示したように、上下、左右に圧縮してやや上部が上方に向かって突出した楕円状になる。このシール材４３が組み付けられる止水構造のシール材４３以外の部分の構成は、前述した止水構造２０と同一である。
【００２８】
このように構成したため、シール材４３の下部両側部分と上部中央とが突出して、その突出部分と、突出部分に接する各面との間がより確実にシールされる。特に、シール材４３の下部における室内側の突出部分が、立上げ部２１と下端部２２との境界部における室内側部分を確実にシールするため、室内の水がシール用凹部２７内に入ることを防止できる。これによって、より良好な止水効果を得ることができる。このシール材４３を用いた止水構造のそれ以外の作用効果については、前述した各実施形態と同様である。
【００２９】
（第４実施形態）
図８は、本発明の第３実施形態にかかる止水構造で用いられるシール材５３の断面を示している。このシール材５３の止水構造に組み付けられる前の断面形状は、図８（ａ）に示したように、下部が平面部５３ａに形成され、上部が平面部５３ａの両端部に連結された凹状の曲部と半円凸状の曲部とを連続させて構成した曲部５３ｂとからなる略瓢箪形の中空管状になっている。そして、このシール材５３は、止水構造に組み付けられると、図８（ｂ）に示したように、上下、左右に圧縮してやや二つの楕円形を押し潰したような形状になる。このシール材５３が組み付けられる止水構造のシール材５３以外の部分の構成は、前述した止水構造２０と同一である。
【００３０】
このように構成したため、シール材５３の下部両側部分と上部両側部分とが突出して、その突出部分と、突出部分に接する各面との間がより確実にシールされる。このため、特に、シール材５３の角部近傍とその部分に接触する各面との間が、確実にシールされる。これによっても、良好な止水効果を得ることができる。このシール材５３を用いた止水構造のそれ以外の作用効果については、前述した各実施形態と同様である。
【００３１】
また、本発明にかかるフロアと壁パネルとの止水構造は、前述した各実施形態以外についても技術的範囲内で適宜変更実施が可能である。例えば、前述した実施形態では、シール用凹部２７を凹部２５の室内側部分に形成しているが、このシール用凹部は、凹部の上部側部分に形成してもよいし、凹部の室外側部分に形成してもよい。凹部の上部側部分にシール用凹部を形成するときには、係合突部の上端面にシール材を設置する。これによっても確実なシールが行える。
【００３２】
また、シール用凹部を係合凹部と離して別に、係合凹部よりも室内側または室外側に設けることもできる。さらに、立上げ部２１側に係合凹部を設け、下端部２２側に係合突部を設けることもできる。また、シール用凹部を立上げ部２１側に設けることもできる。さらに、その他の部分の構成についても、前述した各実施形態に限定することなく、適宜変更して実施することができる。また、前述した各実施形態では、止水構造２０等を浴室ユニット１０に設けているが、この発明にかかる止水構造は、浴室ユニットだけでなく、トイレユニットや洗面室ユニット等、各種衛生設備室に用いられる止水機能を要するフロアと壁パネルを備えたものであれば利用が可能である。
【図面の簡単な説明】
【００３３】
【図１】本発明にかかる止水構造を備えた浴室ユニットを示した斜視図である。
【図２】第１実施形態にかかる止水構造の要部を示した断面図である。
【図３】第１実施形態で用いられるシール材を示す断面図であり、（ａ）は止水構造に組み付けられる前の状態を示し、（ｂ）が止水構造に組み付けられた状態を示している。
【図４】立上げ部にシール材を設置した状態を示す断面図である。
【図５】図４に示した立上げ部に下端部を組み付ける状態を示した断面図である。
【図６】第２実施形態で用いられるシール材を示す断面図であり、（ａ）は止水構造に組み付けられる前の状態を示し、（ｂ）が止水構造に組み付けられた状態を示している。
【図７】第３実施形態で用いられるシール材を示す断面図であり、（ａ）は止水構造に組み付けられる前の状態を示し、（ｂ）が止水構造に組み付けられた状態を示している。
【図８】第４実施形態で用いられるシール材を示す断面図であり、（ａ）は止水構造に組み付けられる前の状態を示し、（ｂ）が止水構造に組み付けられた状態を示している。
【符号の説明】
【００３４】
１０…浴室ユニット、１２…フロア、１３ａ，１３ｂ，１３ｃ…壁パネル、２０…止水構造、２１…立上げ部、２１ａ…垂直部、２１ｂ…水平部、２２…下端部、２３，３３，４３，５３…シール材、２３ａ，３３ａ，４３ａ，５３ａ…平面部、２３ｂ，３３ｂ，４３ｂ，５３ｂ…曲部、２４…係合突部、２５…凹部、２６…係合凹部、２７…シール用凹部。
【図１】
2005146562.tif 000003
【図２】
2005146562.tif 000004
【図３】
2005146562.tif 000005
【図４】
2005146562.tif 000006
【図５】
2005146562.tif 000007
【図６】
2005146562.tif 000008
【図７】
2005146562.tif 000009
【図８】
2005146562.tif 000010